(57)【要約】  本発明は一回の供給で電気または機械的エネルギーの消耗なしに持続的にポットに潅水及び養液を供給することができるようにした無動力潅水及び養液装置並びにこれを利用した無動力ポット栽培システムに関するもので、水または養液が溜まることができる凹溝が形成され、ポットの底面が水面に沈むことができるように形成されたポット安着部と；水桶が安着されることができるように形成された水桶載置台と；前記水桶安着部とポット安着部とを連結する連通流路と；前記水桶に装着されて、移動部材の移動によって開閉可能に形成されるバルブ部と；前記凹溝の水位を一定に保持させることができるように前記凹溝の水位変化に従って前記移動部材を移動させるように形成される水位調節部とを含む。
2013531493.tif 000002
【特許請求の範囲】
【請求項１】
水または養液が溜まることができる凹溝が形成され、ポットの底面が水面に沈むことができるように形成されたポット安着部と；
水桶が安着されることができるように形成された水桶載置台と；
前記水桶安着部とポット安着部とを連結する連通流路と；
前記水桶に装着され、移動部材の移動によって開閉可能に形成されるバルブ部と；
前記凹溝の水位を一定に保持させることができるように前記凹溝の水位変化に従って前記移動部材を移動させるように形成される水位調節部と；を含む無動力潅水及び養液装置。
【請求項２】
前記水位調節部は、
前記凹溝に溜められた水または養液の水面に浮かぶことができるように形成されるフローターと；
前記フローターが基準水位以上に浮かぶ場合、前記バルブ部が閉められるように、前記フローターから延長されて、前記フローターの浮力によって前記移動部材を加圧するように形成される作動部材と；を含む請求項１に記載の無動力潅水及び養液装置。
【請求項３】
前記バルブ部は、
前記移動部材が装着され、前記水桶の開口を形成するバルブシートと；
前記開口が閉まる方向に前記移動部材に弾性力を提供する弾性部材と；を含み、
前記移動部材は前記水桶の内部方向に移動されることによって、前記開口を開放させることができるように形成されることを特徴とする請求項２に記載の無動力潅水及び養液装置。
【請求項４】
前記水位調節部は、
前記凹溝に溜められた水または養液の水面に浮かぶことができるように形成されるフローターと；
一端は前記フローターに固定され、他端は前記フローターが基準水位以上に浮かぶ場合、前記移動部材を押す力を除去する方向に移動されることができるように形成される作動部材と；を含む請求項３に記載の無動力潅水及び養液装置。
【請求項５】
前記水位調節部は、
前記弾性部材の下方へ所定長さに延長するスカート部と；
前記スカート部の側面に形成され、空気が前記バルブシートに入ることができるように形成される開放孔と；を含むことを特徴とする請求項３に記載の無動力潅水及び養液装置。
【請求項６】
前記バルブ部は、前記水桶に装着され、貫通孔を通じて前記水桶の開口を形成するバルブ本体を備え、
前記移動部材は前記貫通孔に配置され、前記水桶の外部方向に移動されることによって前記開口を開放することができるように形成されることを特徴とする請求項１に記載の無動力潅水及び養液装置。
【請求項７】
前記水位調節部は、
前記凹溝に溜められた水または養液の水面に浮かぶことができるように形成されるフローターと；
一端は前記フローターに固定され、他端は前記バルブ本体に回転可能に連結され、前記フローターが基準水位以上に浮かぶ場合、前記移動部材が前記開口を塞ぐ方向に移動されるように両端の間で前記移動部材を支持する作動部材と；を含むことを特徴とする請求項６に記載の無動力潅水及び養液装置。 
【請求項８】
前記水位調節部は、前記移動部材が前記水桶の外部方向に移動される距離を制限するように、前記作動部材の回転経路上に配置されるストッパをさらに含むことを特徴とする請求項７に記載の無動力潅水及び養液装置。
【請求項９】
前記ポットの底面に水平方向の第１岩綿層が配置され、前記ポットの側壁に垂直方向の第２岩綿層が具備されたことを特徴とする請求項１に記載の無動力潅水及び養液装置。
【請求項１０】
前記ポットの内側壁には前記第２岩綿層を仮固定させることができるようにホルダーがさらに具備されたことを特徴とする請求項９に記載の無動力潅水及び養液装置。
【請求項１１】
バルブ部を備え、取り替え可能な水桶と；
作物が植栽されたポットと；
前記水桶に保存された水または養液を前記ポットに持続的に供給する潅水及び養液装置と；を含み、
前記潅水及び養液装置は、
水または養液が溜まることができる凹溝が形成され、前記ポットの底面が水面に沈むことができるように形成されたポット安着部と；
水桶が安着されることができるように形成された水桶載置台と；
前記水桶安着部とポット安着部とを連結する連通流路と；
前記凹溝の水位を一定に保持させることができるように前記バルブ部の開閉を調節することができるように構成される水位調節部とを含み、
前記ポットの底面に水平方向の第１岩綿層が配置され、前記ポットの側壁に垂直方向の第２岩綿層が具備されたことを特徴とする無動力ポット栽培システム。
【請求項１２】
前記ポット安着部及び水桶載置台は規格化された一つのフレームによって一体に形成されることを特徴とする請求項１１に記載の無動力ポット栽培システム。
【請求項１３】
前記ポットの底の一側には前記ポットを移動させるための少なくとも一対のキャスターが具備されることを特徴とする請求項１１に記載の無動力ポット栽培システム。
【請求項１４】
前記水位調節部は、
前記凹溝に溜められた水または養液の水面に浮かぶことができるように形成されるフローターと；
前記フローターが基準水位以上に浮かぶ場合、前記バルブ部が閉められるように、前記フローターから延長されて前記フローターの浮力によって前記バルブ部を加圧するように形成される作動部材と；を含むことを特徴とする請求項１１に記載の無動力潅水及び養液装置。
【請求項１５】
水または養液が溜まることができる凹溝が形成され、ポットの底面が水面に沈むことができるように形成された複数のポット安着部と；
前記複数のポット安着部の各凹溝を連結する連結流路と；
前記連結流路を通じて前記各ポット安着部の凹溝に水または養液を供給する潅水及び養液装置とを含み、
前記潅水及び養液装置は、
水桶が安着されることができるように形成された水桶載置台と；
前記連結流路に水または養液装置を供給して前記凹溝の水位を一定に保持させるように前記水桶のバルブ部を開閉することができるように構成される水位調節部とを含み、
前記複数のポット安着部は規格化されたパレットに形成されることを特徴とする無動力ポット栽培システム。
【発明の詳細な説明】
【技術分野】
【０００１】
本発明はポット栽培法に関し、さらに詳しくは、一回の供給で電気または機械的エネルギーの消耗なしに持続的にポットに潅水及び養液を供給することができるようにした無動力潅水及び養液装置並びにこれを利用した無動力ポット栽培システムに関する。
【背景技術】
【０００２】
景気沈滞による解雇及び新規人力の採用の縮小など失業に直面している状況では新規雇用創出が要求される。開発政策はこういう雇用創出を増大させるという点で必要であるが、反面、汚染及び地球温暖化を加速させる虞がある。一例として、太陽光、風力、潮力などは化石燃料の代替エネルギーとして脚光を浴びているが、大規模の開発が不可避であり、開発のために天文学的な費用が必要になる。このような問題はクリーン開発メカニズム（Ｃｌｅａｎ  Ｄｅｖｅｌｏｐｍｅｎｔ  Ｍｅｃｈａｎｉｓｍ；ＣＤＭ）事業によってある程度解決することができる。 
【０００３】
一方で、アスファルト及びコンクリートの建物に閉じ込められて暮している都会の人々には安らぎとコミュニケーションの緑の空間の拡充が切実である。ポット栽培（Ｐｏｔ  Ｃｕｌｔｉｖａｔｉｏｎ）は適切な潅水と養液（ｆｅｒｔｉｌｉｚａｔｉｏｎ）を通じて、生育条件が充足されにくいアスファルト、コンクリート、干拓地などの環境でも超低費用と親環境的に録化を誘導して、多様な付加效果（例：職場の創出、緑の空間の確保による炭素排出権の確保、夏の省エネルギー及び省電力、緑の空間での休息及び産業活動を通じて都会の人々の生活水準の向上など）を得ることができる。 
【０００４】
ポット栽培される作物として、樹冠（キャノピー）及び葉面積の小さい観葉植物は数日または数週間ごとに一回ずつ少量の水を潅水しても生育に差し支えがない。しかし、樹冠及び葉面積の広い果樹、例えば、ぶどう、猿梨などは一株当たり１０ｍ２以上の陰面積を提供することができる作物として、一日中にも数回ずつ多量の水（３ｌ以上／日）を潅水しなければならない。 
【０００５】
大規模の栽培では、タイマー付着型ウォーターポンプなどで水の供給が容易であるが、家庭、職場及び市場商店街などで小規模に栽培する場合には、このような機械的な潅水装置が返って厄介になり、費用がかかり過ぎるなどの問題がある。また、生育状況によって多量の肥培が要求される場合（例：着果期、肥大期など）があるが、このために迅速で十分な肥培の管理も必要である。
【発明の開示】
【発明が解決しようとする課題】
【０００６】
本発明は上記のような問題点を鑑みて創出されたもので、樹冠及び葉面積の広い果樹をポット栽培する際に、簡単な構成を通じて動力を使わなくても低費用で緑化を誘導することができる無動力潅水及び養液装置並びにこれを用いた無動力ポット栽培システムを提供することにその目的がある。
【課題を解決するための手段】
【０００７】
上述した課題を解決するために、本発明に係わる無動力潅水及び養液装置は、水または養液装置が溜まることができる凹溝が形成され、ポットの底面が水面に沈むことができるように形成されたポット安着部と、水桶が安着されることができるように形成された水桶載置台と、上記水桶安着部とポット安着部とを連結する連通流路と、上記水桶に装着されて、移動部材の移動によって開閉可能に形成されるバルブ部と、上記凹溝の水位を一定に保持させることができるように上記凹溝の水位変化によって上記移動部材を移動させるように形成される水位調節部とを含む。 
【０００８】
また、本発明はバルブ部を備え、取り替え可能な水桶、作物が植栽されたポット、及び上記水桶に保存された水または養液を上記ポットに持続的に供給する潅水及び養液装置を含み、上記潅水及び養液装置は、水または養液が溜まることができる凹溝が形成され、上記ポットの底面が水面に沈むことができるように形成されたポット安着部と、水桶が安着されることができるように形成された水桶載置台と、上記水桶安着部とポット安着部とを連結する連通流路と、上記凹溝の水位を一定に保持させることができるように上記バルブ部の開閉を調節することができるように構成される水位調節部とを含んで構成され、上記ポットの底面に水平方向の第１岩綿層が配置され、上記ポットの側壁に垂直方向の第２岩綿層が具備されることを特徴とする無動力ポット栽培システムを開示する。 
【０００９】
また、本発明は水または養液が溜まることができる凹溝が形成され、ポットの底面が水面に沈むことができるように形成された複数のポット安着部と、上記複数のポット安着部の各凹溝を連結する連結流路と、上記連結流路を通じて上記各ポット安着部の凹溝に水または養液を供給する潅水及び養液装置とを含み、上記潅水及び養液装置は、水桶が安着されることができるように形成された水桶載置台と、上記連結流路に水または養液を供給して上記凹溝の水位を一定に保持させるように上記水桶のバルブ部を開閉することができるように構成される水位調節部とを含み、上記複数のポット安着部は規格化されたパレットに形成されることを特徴とする無動力ポット栽培システムを提供する。
【発明の効果】
【００１０】
本発明に係わる無動力潅水及び養液装置によれば、一日中にも数回の潅水が必要な果樹に対して一回だけ水を供給しても所定期間の間追加供給なしに持続的に潅水が可能になる。 
【００１１】
無人形態に管理されることができるポット栽培システムは、都心の建物の屋上、駐車場、道路の空地等に移動式に容易に設置されることができ、また、短期録化に非常に有利な長所がある。さらに、規格化されたポットを使うことによって、干拓地のような大規模の果樹園を造成する際に費用及び時間を節減することができる。 
【００１２】
また、潅水及び養液のためにエネルギーを使わないので（無動力）、親環境的で、且つ地球温暖化の防止に寄与する。 
【００１３】
本発明に係わる無動力潅水及び養液装置によれば、一日中にも数回の潅水が必要な果樹に対して一回だけ水を供給しても所定期間の間追加供給なしに持続的に潅水が可能になる。 
【００１４】
また、重力及び水圧によって潅水の供給及び中断が行われるメカニズムを通じてより親環境的な無動力潅水及び養液装置を具現する。
【図面の簡単な説明】
【００１５】
【図１】本発明に係わる無動力ポット栽培システムを概略的に示す概念図である。
【図２】本発明に係わる無動力潅水及び養液装置の一構成を示す断面図である。
【図３】図２の無動力潅水及び養液装置の作動状態図である。
【図４】ポット部分の横断面図である。
【図５】本発明に係わるポットの他の例を示す断面図である。
【図６】本発明に係わるポットの他の例を示す断面図である。
【図７】本発明に係わるポットのまた他の例を示すもので、ポットの正断面図である。
【図８】本発明に係わるポットのまた他の例を示すもので、ポットの平面図である。
【図９】本発明に係わるポットのまた他の例を示すもので、ポットの底面図である。
【図１０】本発明に係わるポットのまた他の例を示すもので、二つのポットが上下に積層された状態を示す部分側面図である。
【図１１】本発明に係わるポットを取り扱うためにパレットを利用した状態を示す概念図である。
【図１２】本発明と係わる岩綿を容易に固定するための固定手段を有するポットを示す正断面図である。
【図１３】本発明と係わる岩綿を容易に固定するための固定手段を有するポットを示す横断面図である。
【図１４】本発明に係わる無動力ポット栽培システムの他の例を示す概念図である。
【図１５】本発明に係わる無動力潅水及び養液装置の他の例を示す断面図である。
【図１６】本発明に係わる無動力潅水及び養液装置のまた他の例を示す断面図である。
【図１７】本発明に係わる無動力潅水及び養液装置のまた他の例を示す断面図である。
【図１８】図１７のＡ部分に対する拡大図である。
【発明を実施するための形態】
【００１６】
以下、本発明に係わる無動力潅水及び養液装置並びにこれを利用した無動力ポット栽培システムを添付された図面を参照して詳しく説明する。 
【００１７】
図１は本発明に係わる無動力ポット栽培システム１００を概略的に示す概念図で、作物１０１が植栽されたポット１１０と、水桶１２０と、水桶１２０に保存された水が無動力方式でポット１１０に供給されることができるようにする無動力潅水及び養液装置１５０とを含んでいる。上記潅水及び養液装置１５０は、自動的にポット１１０に水を供給することができる装置で、樹冠（Ｃａｎｏｐｙ）及び葉面積の広い果樹（例えば：ぶどう、猿梨）のように、一日にも多量の水が必要な作物に適用されることができる。ぶどう、猿梨などは広い陰面積（１０ｍ２  以上／株）を提供することができるので、都心の録化に寄与することができるとともに、ヒートアイランド現象を防止して、窮極的に地球温暖化の防止に寄与する。設置場所の面で上記ポット栽培システム１００は、水の管理が難しい家庭、建物の屋上、駐車場、街路、都心の公園、広場、または休憩施設などに適用されることができる。例えば、都心内のコンクリートまたはアスファルトの上に樹冠（Ｃａｎｏｐｙ）の広い蔓性果樹作物を５００万株栽培（ぶどう１０ｍ２／株）する場合、全体陰面積は５０００万ｍ２で、夏に十分な陰を提供することができる。 
【００１８】
水桶１２０は作物１０１の水所要周期及び管理人の与件によって多様な容量に製作されることができる。形状の面で、水桶１２０は規格化された形態を有するように構成されることによって、使用済みの水桶を水が満たされた水桶に直ちに容易に取り替えることができる。 
【００１９】
図２は本発明に係わる無動力潅水及び養液装置の一構成を示す断面図であり、図３は図２の無動力潅水及び養液装置の作動状態図であり、図３はポット部分の横断面図である。 
【００２０】
図２及び図３のように、無動力潅水及び養液装置１５０には、作物１０１が植栽されたポット１１０と水桶１２０とが載せられている。配置の面で、これらポット１１０と水桶１２０は相互隣接されて配置されるか、所定距離以上に離れて配置されることも可能である。また、水桶１２０はポット１１０に対して取り囲むことができる形態に形成されることも可能である。その例として、水桶１２０は「┓」字状、「┗」字状またはドーナツのように完全に取り囲んだ形態などが可能である。 
【００２１】
ポット１１０は上土を入れることができる空間を有するように形成し、底面は下部から供給される水を吸収することができるように複数の貫通孔１１２を有する。水の吸水性を高めることができるように、ポット１１０の底面には水平に配置される第１岩綿層１７１が配置されることができ、側壁には垂直に配置される第２岩綿１７２が配置されている。第２岩綿１７２はポット１１０の側壁に沿って周り方向に複数形成されることができる。このような岩綿（ｒｏｃｋ  ｗｏｏｌ）は建築材料または産業資材の廃棄物を用いることができるので、資源のリサイクル及び公害防止の面で非常に有用である。 
【００２２】
図２によれば、無動力潅水及び養液装置１５０はフレーム１５１を含み、フレーム１５１は上記のようなポット１１０が安着されるためのポット安着部１５２と水桶１２０が安着されることができる水桶載置台１５３とを含んでいる。水桶載置台１５３は水桶１２０が装着されたバルブ装置から流出された水または養液が一次的に溜まることができるように溝形態に形成される。 
【００２３】
ポット安着部１５２も水または養液が溜まることができる凹溝１５４を含む。凹溝１５４に溜まっている水または養液はポット１１０の底面が沈むことができるほどの水位が形成される。 
【００２４】
ポット安着部１５２と水桶載置台１５３は連通流路１５５によって相互連結されている。連通流路１５５は、図２のように、フレーム１５１に直接形成されるか、他の例としてポット安着部１５２と水桶載置台１５３とを連結するホースまたは類似する管路手段の形態に形成されることができる。このように、水桶載置台１５３に溜められた水はポット安着部１５２に移動されて溜まるようになり、ポット安着部１５２に溜められた水は水面に触れているポット１１０の底面を通じて吸収される。 
【００２５】
ポット１１０がポット安着部１５２の凹溝１５４に溜められた水または養液の水位を一定に保持することができるように潅水及び養液装置１５０は水位調節部１３０を含む。水位調節部１３０は水桶１２０の下部に装着された水桶１２０のバルブ部を開閉することによって、凹溝１５４に溜められた水または養液の水位を調節して、ポット１１０の底面が所定深さに沈むことができるようにする。ポット安着部１５２のポット１１０が支持される部位は複数の段によって具現されることによって多様なポット１１０の具体的な条件に適する水または養液を自由に供給することができる。 
【００２６】
水桶１２０の下部にはバルブ装置が備えられる。バルブ装置は、バルブシート１３２と、移動部材１４０と、スプリング１３３とを含む。このようなバルブ装置は、水桶本体１２１に直接形成されるか、水桶本体１２１に着脱可能に形成されるキャップ１３１に形成されることができる。図２はその中の後者の例を示している。バルブシート１３２は移動部材１４０の接触によって密閉力を提供することができるように、ゴムまたはシリコーンゴムのような軟質材によって形成されることができ、水圧によって強い密閉性を得ることができるように、外側に行くほど直径が狭くなるように傾斜面を有することができる。 
【００２７】
移動部材１４０は、その一端はバルブシート１３２内に位置されていて、バルブシート１３２と密閉作用をすることができるようになっており、他端は水桶１２０の外側に位置されて、ボタンのような形態に形成されている。移動部材１４０の外側端部とキャップ１３１との間にはスプリング１３３が配置されて、移動部材１４０が外側に移動しようとする方へ弾性力を受けている。これによって、移動部材１４０の他端を押せば、移動部材１４０の内側端部がバルブシート１３２から遠くなり、それによって、バルブシート１３２の開口が開放され、移動部材１４０を押していた力を解除すれば、スプリング１３３の作用によって移動部材１４０を反対方向に移動させることによって、バルブシート１３２の内側端部がバルブシート１３２の開口を閉鎖させる。 
【００２８】
水位調節部１３０はこのようなバルブ装置の開閉を調節することによって、ポット安着部１５２の凹溝１５４に溜められた水または養液の水位を一定に保持させる。具体的に、水位調節部１３０はフローター１６１と作動部材１６２とを含むことができる。フローター１６１は凹溝１５４に溜められた水または養液の水面に浮かぶことができるように形成される。フローター１６１は内部が中空の筒体または密度の低い樹脂物質によって形成されることができ、凹溝１５４の水面に沿って浮び上がったり、水面が下降すれば一緒に下降する。 
【００２９】
図３によれば、フローター１６１は作動部材１６２によって連結され、作動部材１６２はその一位置がフレーム１５１にピボット１６３によって拘束された形態になっている。従って、フローター１６１が上昇すれば、作動部材１６２はピボット１６３を中心に時計回りに回転し、逆に、フローター１６１が下降すれば、作動部材１６２はピボットを中心に反時計回りに回転する。作動部材１６２の端部には上記で説明した移動部材１４０の外側端部１４１を押したり、押した状態を解除することができる押圧部材１６４が具備される。作動部材１６２が反時計回りに回転すると、押圧部材１６４は移動部材１４０の外側端部１４１を押してバルブ装置が開放され、逆に、作動部材１６２が時計回りに回転すると、押圧部材１６４が移動部材１４０の外側端部を押していた力が除去されて、スプリング１３３の弾性力によってバルブ装置を閉鎖させる（図２及び図３参照）。 
【００３０】
このような水位調節部１３０の作用によって水桶１２０に保存された水または養液はポット安着部１５２の凹溝１５４に所定水位を保持するようになる。従って、ポット１１０内に供給される水はポット１１０の状態に合わせて持続的に無人管理が可能になる。 
【００３１】
図５及び図６は本発明に係わるポットの他の例を示す断面図である。図示するように、ポットは、図５のように固定式に構成されるか、図６のように移動式に構成されることができる。即ち、図５に示された固定式ポット２１０はポット本体２１１の下部に水及び養液吸収と排水のための貫通孔２１２が形成された単純な本体を成し、一方、移動式で例示されている図６のポット２１０`は、ポット本体２１１`の下面の一側に少なくとも一対のキャスター２１３を備えいる。従って、ポット２１０`をキャスター２１３の方に傾けた状態で移動させることが容易である。 
【００３２】
図７〜図１０は本発明に係わるポットのまた他の例を示す図で、図７はポットの正断面図であり、図８はポットの平面図であり、図９はポットの底面図であり、図１０は二つのポットが上下に積層された状態を示す部分側面図である。 
【００３３】
これら図面に示すように、ポット３１０は運搬及び管理が容易になるように規格化されている。即ち、ポット３１０は略四角形に形成されており、運搬のために上端の所定個所には取っ手３１５を含み、下端部は積層が容易になるように嵌込溝３１６が形成されいる。取っ手３１５は複数の人が持ち上げたり、機械作業の時の均衡を取りやすくするために４ヶ所に配置させることができる。嵌込溝３１６は他のポット本体３１１の上端周縁に挿入されることができる程度に形成される。 
【００３４】
ポット３１０の底面は排水が容易になるように網３１８形態に形成されており、底面の強度を補うことができるように、中間部分は補強部３１７が形成される。 
【００３５】
このようなポット３１０は容量または大きさ別に複数の種類に形成されることが好ましい。 
【００３６】
このように規格化されたポット３１０は干拓地等のように大規模の果樹園を造成するための費用と時間を減らすことができ、均一な品質と数量を提供することができるという利点がある。 
【００３７】
図１１は本発明に係わるポットを取り扱うためにパレットを利用した状態を示す概念図である。 
【００３８】
図７〜図１０を通じて説明されたポットは、複数をグループ化して一つのパレットＰに積載されることができるように構成することができる。このために、パレットＰは複数のポット安着部３５２を含み、積載されたポット３１０を一度に容易に移動するように、フォークリフト溝３５８が形成されることができる。さらに、ポット安着部３５２は上記で説明した無動力潅水及び養液装置に連結されて、直ちにポット３１０に水または養液を供給することができるように構成されることもできる。 
【００３９】
パレットＰは容量によって、大型、中型、小型などのような規格を有することができ、各規格には積載されることができるポットをマッチングさせることができる。 
【００４０】
パレットＰにポットが積載されると、ビニルラップのような包装手段によって包装して大単位運送ができるようにすることができる。 
【００４１】
このように構成される場合、工場などで上土と植栽などを済ませた各ポットをパレットに積載した後、運搬車で干拓地等に移して下ろして直ちに管理することが非常に有用であり、果樹園を造成するための時間及び費用を画期的に減らすことができる。 
【００４２】
図１２及び図１３は本発明に係る岩綿を容易に固定するための固定手段を有するポットをそれぞれ示す正断面図と横断面図である。 
【００４３】
ポット４１０の吸水性及び保守性を良くするために、ポット４１０内には岩綿が装着されることができる。そのような岩綿はポット４１０の底面に水平方向に配置される第１岩綿４７１と垂直方向の柱形態に形成された第２岩綿４７２とを含むことができる。この場合、ポット４１０に上土を入れる過程で第２岩綿４７２が装着される位置を逸脱しないようにポット４１０の内側壁には第２岩綿４７２を固定するホルダー４１９が配置される。ホルダー４１９はクリップまたは掛けがね形態に形成されることができる。 
【００４４】
図１４は本発明に係わる無動力ポット栽培システムの他の例を示す概念図である。ポットごとに水桶を装着して取り替えなければならない煩雑さを解決することができるようにグループ化された複数のポットは一つの水桶によって供給されることができるように構成されることができる。即ち、図１４のように、本例で示す無動力ポット栽培システム５００は、凹溝が設けられた複数のポット安着部５５２ａ、５５２ｂ、５５２Ｃを含み、ポット安着部５５２ａ、５５２ｂ、５５２Ｃの各凹溝は連結流路５８０によって互いに連結されている。各ポット安着部５５２ａ、５５２ｂ、５５２Ｃには凹溝の水位を一定に保持させることができる水位調節部５５０が具備される。水位調節部５５０は連結流路５８０を通じて供給された水または養液の水位を調節することができるように構成されたもので、図２及び図３に適用された水位調節部の構成が適用される。 
【００４５】
水位調節装置はフローターなどが設置された一つの大きい水桶５２０が具備され、それぞれのポット５１０Ａ、５１０Ｂ、５１０Ｃに連結流路と水受けを有する構造であるが、本発明はこれに限定されないで、それぞれのポット５１０Ａ、５１０Ｂ、５１０Ｃにフローターなどが設置される構造で構成されてもよい。 
【００４６】
水桶載置台５５３には容量の大きい水桶５２０が載置されることによって、複数のポット５１０Ａ、５１０Ｂ、５１０Ｃに対して一遍に潅水及び養液を供給することができる。
【００４７】
図１５は本発明に係わる無動力潅水及び養液装置の他の例を示す断面図である。
【００４８】
図１５に示された無動力潅水及び養液装置６５０はポット１１１に供給される水または養液の水位が一定に保持されるようにするための他の技術原理を含んでいる。即ち、本実施例に含まれた無動力潅水及び養液装置６５０は水桶１２１に結合されるキャップ６３１を含み、キャップ６３１にはバルブ装置及び水位調節部６３０が具備される。
【００４９】
バルブ装置は、水桶１２１の開口を形成するバルブシート１３２と、移動部材１４０と、弾性部材１３３とを含む。移動部材１４０は、その一端はバルブシート１３２内に位置されて、バルブシート１３２と密閉作用をすることができ、他端は水桶１２１の外側に位置されて、ボタンのような形態に形成されている。移動部材１４０の外側端部１４１とキャップ６３１との間にはスプリング１３３が配置されて、移動部材１４０が外側に移動しようとする方に弾性力を受けている。これによって、移動部材１４１の外側端部１４１を押せば移動部材１４０の内側端部がバルブシート１３２から遠くなって、バルブシート１３２の開口を開放し、移動部材１４０を押していた力を解除すればスプリング１３３の作用で移動部材１４０を反対方向に移動させるのでバルブシート１３２の開口を閉鎖させる。 
【００５０】
水位調節部６３０はスプリング１３３の周りにキャップ６３１から所定長さ延長されたスカート部６４５を含み、スカート部６４５の少なくとも一側は開放孔６４６を含んでいる。開放孔６４６は周りの空気が水桶１４１の内部に入ることができる通路になる。水位が開放孔６４６より高く位置すると空気が開放孔６４６を通じて水桶１２１の内部に入ることができないが、逆に、水位が開放孔６４６より低く位置すると空気が開放孔６４６を通じて水桶１２１の内部に入ることができる。後者の場合、水桶内の水圧（重力）が作用しても水桶の上部空間に形成される真空によって力の平衡を取るので、水桶１２１の外部に流出されない。従って、このように、開放孔６４６と水位の差及び水桶１２１内の真空と水桶内の水の重力の平衡関係によって水位が一定に保持される。 
【００５１】
水桶１２１は使用中に内部の真空を保持する必要があるが、水桶１２１内に水を補充する時には真空状態を保持することができない。このために、移動部材１４０の外側端部１４１を押していた突出部６６４を任意に下降させて移動部材１４０がバルブシート１３２を塞ぐことができるように構成することができる。こういう方法で突出部６６４はカム装置６６７によって構成することができ、外部でレバー６６８を一方向に回すと突出部６６４が下降し、反対に回すと上昇して移動部材１４０をバルブシート１３２から開放させるようにすることができる。水桶に水を補充する時には、この突出部６６４を調節することによって水が任意に零れることを防止することができる。 
【００５２】
図１６は本発明に係わる無動力潅水及び養液装置のまた他の例を示す断面図である。
【００５３】
図面を参照すれば、潅水及び養液装置７５０はバルブ部７３０及び水位調節部７４０を含み、これらの組合によってポット１１０がポット安着部１５２の凹溝１５４に溜められた水または養液の水位を一定に保持することができる。
【００５４】
バルブ部７３０は水桶１２０の下部に形成される。バルブ部７３０はバルブ本体７３１と移動部材７３２とを含む。
【００５５】
バルブ本体７３１は水桶１２０の下部を貫通するように配置され、水桶本体７２１に着脱されることができるように形成される。ただ、本発明は必ずこれに限定されるのではなく、水桶１２０の他の位置に配置されたり、水桶本体７２１に直接形成されることができる。 
【００５６】
バルブ本体７３１は、例えば合成樹脂や合金などのように水中でさびがつかない材質で形成されることができる。また、バルブ本体７３１は円形に形成され、水圧に対する影響が少ないように上部が直径が漸次に小くなる方向に傾斜されることができる。
【００５７】
バルブ本体７３１は内部には貫通孔７３３が形成される。即ち、バルブ本体７３１は貫通孔７３３を通じて水桶１２０から水または養液を排出させる排出口７３４を形成する。
【００５８】
移動部材７３２は貫通孔７３３に配置され、一端が排出口７３４を塞ぐように構成される。より具体的に、移動部材７３２はその一端は貫通孔７３３内に位置されて、貫通孔７３３の一端（貫通孔の形状面の一端）と密閉作用がすることができるようになっている。
【００５９】
このような構造によれば、水桶１２０内に排出口７３４に流入される水または養液の流れを妨害する要素がなくて、水または養液の供給がより円滑になることができる。 
【００６０】
移動部材７３２の一端と貫通孔７３３の一端は接触面積をより大きくするために互いに対応する傾斜面に形成されることができる。さらに、移動部材７３２の一端には貫通孔７３３の一端と接触によって強い密閉力を提供することができるように、ゴムまたはシリコーンゴムのような軟質部材（図示しない）が装着されることができる。 
【００６１】
移動部材７３２は水桶１２０の外部方向に移動されることによって、排出口７３４を開放することができるように形成される。一般に、移動部材７３２は水桶１２０の水圧によって排出口７３４を開放させる方向に移動するが、水桶１２０の水圧が弱い場合にも容易に移動されるように適当な重量で構成されることができる。このような移動部材７３２の一例として移動部材７３２はニードルバルブで構成されることができる。 
【００６２】
図示によれば、移動部材７３２の他端（排出口を塞ぐ一端の反対端）は貫通孔７３３の外側に位置されている。移動部材７３２の他端は水位調節部７４０によって支持され、支持点の位置変化を通じて移動部材７３２は排出口７３４を塞ぐ状態と開放させた状態との間で移動されることができる。 
【００６３】
水位調節部７４０は凹溝１５４の水位を一定に保持させることができるように、バルブ部７３０の開閉を調節することができるように構成される。より具体的に、水位調節部７４０は移動部材７３２を加圧して水桶１２０の排出口を開閉し、これを通じて凹溝１５４に溜められた水または養液装置の水位を調節してポット１１０の底面が所定深さに沈むことができるようにする。 
【００６４】
例えば、水位調節部７４０はフローター７４１、作動部材７４２及びストッパ７４３を含む。 
【００６５】
フローター７４１は凹溝１５４に溜められた水または養液の水面に浮かぶことができるように形成される。フローター７４１は内部が中空の筒体または密度の低い樹脂物質によって形成されることができ、凹溝１５４の水面に沿って浮び上がったり、水面が下降すれば一緒に下降する。 
【００６６】
図３によれば、フローター７４１は作動部材７４２に回転力を加えるように構成される。より具体的に、作動部材７４２の一端フローター７４１に固定され、他端はバルブ本体７３１に回転可能に連結される。バルブ本体７３１に回転可能に連結される例として、作動部材７４２の他端はバルブ本体７３１にピボット結合されることができる。 
【００６７】
バルブ本体７３１の下部には中空体の下端突出部７３５が形成される。作動部材７４２は下端突出部７３５の一側壁にピボット結合され、下端突出部７３５の他側壁に形成される開口を貫通して凹溝１５４を向けて延長される。 
【００６８】
作動部材７４２はフローター７４１が基準水位以上に浮かぶ場合、移動部材７３２が排出口７３４を塞ぐ方向に移動されるように両端の間で移動部材７３２を支持する。作動部材７４２と移動部材７３２の支持点は下端突出部７３５の中空部分に形成される。 
【００６９】
このような構造によれば、フローター７４１が水面に沿って下降する時に、作動部材７４２はピボット７４４を中心に反時計回りに回転し、逆にフローター７４１が上昇する時に作動部材７４２はピボット７４４を中心に時計回りに回転する。 
【００７０】
作動部材７４２が反時計回りに回転すると、作動部材７４２と移動部材７３２の支持点が後退して、バルブ部７３０が開放され、反対に作動部材７４２が時計回りに回転すると作動部材７４２が移動部材７３２を押してバルブ部７３０を閉鎖させる。 
【００７１】
このような水位調節部７４０の作用によって水桶１２０に保存された水または養液はポット安着部１５２の凹溝１５４に所定水位を保持する。従って、ポット１１０内に供給される水はポット１１０の状態に合わせて持続的に無人管理が可能になる。また、水位調節部７４０は重力及び水圧のみによってバルブ部７３０を開閉させるので、より親環境的な無動力潅水及び養液装置が具現されることができる。 
【００７２】
図３を参照すれば、移動部材７３２が水桶１２０の外部方向に移動される距離を制限するように作動部材７４２の回転経路上にはストッパ７４３が配置される。ストッパ７４３は下端突出部７３５の開口に配置され、作動部材７４２と垂直方向に突出されて、作動部材７４２の回転を制限する。 
【００７３】
これを通じて、水桶１２０の最初設置や凹溝１５４の掃除などのために凹溝１５４に水または養液がない場合に、移動部材７３２が貫通孔７３３から離脱されることが防止されることができる。 
【００７４】
図３を参照して再びバルブ部７３０を説明すれば、バルブ本体７３１の外周面には水桶１２０の一面に安着されるように周辺突起７３６が形成され、上記水桶１２０の貫通部分がシーリングされるように上記周辺突起７３６にはシーリング部材７３７が配置される。シーリング部材７３７は、例えば「Ｏ」リング状に形成されることができる。 
【００７５】
図示によれば、バルブ本体７３１が水桶１２０の他面（周辺突起が安着される面の反対面）に掛けられるように上記バルブ本体７３１の外周面には締付部材７３８が装着される。例えば、バルブ本体７３１の外周面には螺糸山が形成され、締付部材７３８はこれに結合されるナットであってもよい。 
【００７６】
図１７は本発明に係わる無動力潅水及び養液装置のまた他の例を示す断面図であり、図１８は図１７のＡ部分に対する拡大図である。図１７及び図１８に示された無動力潅水及び養液装置８５０はポットに供給される水または養液の水位が一定に保持されるためのまた他の技術原理を含んでいる。 
【００７７】
図示によれば、バルブ本体８３１内の貫通孔８３３は主貫通孔８３３ａと補助貫通孔８３３ｂとを含む。 
【００７８】
主貫通孔８３３ａはバルブ本体８３１の長手方向に形成され、主貫通孔８３３ａの内部には移動部材８３２がスライディング可能に配置される。即ち、主貫通孔８３３ａは図３を参照して説明した実施例で貫通孔１３３（図３参照）と類似するように形成される。 
【００７９】
補助貫通孔８３３ｂはバルブ本体８３１の外面で主貫通孔８３３ａに連結されるように形成される。補助貫通孔８３３ｂは異物などによって排出口８３４が塞がられた場合にも潅水ができるようにする役割を果たす。より具体的に、補助貫通孔８３３ｂは水桶１２０の内部空間と主貫通孔８３３ａを連通させるように形成される。 
【００８０】
移動部材８３２は補助貫通孔８３３ｂを開閉するように形成される。例えば、移動部材８３２の外周面にはラバー突起８３９ａが装着され、ラバー突起８３９ａは移動部材８３２の移動によって主貫通孔８３３ａに具備されたガイド溝８３９ｂに沿ってスライディングする。ラバー突起８３９ａはリング状に形成されることができる。 
【００８１】
ラバー突起８３９ａは移動部材８３２が水桶１２０の排出口８３４を塞ぐ状態で補助貫通孔８３３ｂの入口に挿入されるように形成される。これによってラバー突起８３２ａは補助貫通孔８３３ｂの入口を塞ぐことができる。 
【００８２】
また、移動部材８３２が円周方向に回転されることを制限し、移動部材８３２の摺動をより円滑にガイドするために、ガイド溝８３９ｂの反対側には補助ガイド溝８３９ｃが配置されることができる。 
【００８３】
本図面を参照すれば、凹溝１５４でフローターが配置される部分は外部に開口されるように形成される。例えば、豪雨などによってポット１１０（図２参照）内に雨水が満たされると、上記雨水は凹溝１５４に逆流される場合がある。特定水位以上に雨水が逆流されると開口された部分を通じて外部に雨水が流出される場合がある。 
【００８４】
凹溝１５４にはフローター８４１が基準水位以上に浮かぶ場合に、作動部材８４２にかかるモーメントを低減させるように、上記フローター８４１の浮力方向に上記フローター８４１を支持する支持部材８６２が配置される。 
【００８５】
支持部材８６２は、例えば特定地点でフローター８４１の上部を支持するように形成され、ポット安着部１５２（図３参照）や水桶載置台１５３に装着されるか、水桶載置台１５３と一体に形成されることができる。 
【００８６】
例えば、雨水などが凹溝１５４に逆流されると、凹溝１５４の水位は高くなり続け、従ってフローター８４１が作動部材８４２に加える力がより増加される。増加された力によって作動部材８４２に過度な曲げモーメントＭが発生することができ、これは作動部材８４２の耐久性を弱化させる。 
【００８７】
支持部材８６２が特定地点でフローター８４１の上部を支持することで、移動部材８３２が水桶１２０の排出口８３４を塞いだ状態で、凹溝１５４の水位が増加し続ける場合にフローター８４１の浮力を相殺させ、これを通じてフローター８４１及び作動部材８４２などに対する外部衝撃が緩和されることができる。 
【００８８】
以上のように、本発明による無動力潅水及び養液装置並びにこれを利用した無動力ポット栽培システムを例示した図面を参照にして説明したが、本明細書に開示された実施例と図面によって本発明が限定されるのではない。開示された実施の少なくとも一つ以上が組み合わせられることができ、本発明の技術思想の範囲内で当業者によって多様な変形が行われることができる。
【産業上の利用可能性】
【００８９】
無動力潅水及び養液装置並びにこれを利用した無動力ポット栽培システムは産業上の利用可能性がある。
【図１】
2013531493.tif 000003
【図２】
2013531493.tif 000004
【図３】
2013531493.tif 000005
【図４】
2013531493.tif 000006
【図５】
2013531493.tif 000007
【図６】
2013531493.tif 000008
【図７】
2013531493.tif 000009
【図８】
2013531493.tif 000010
【図９】
2013531493.tif 000011
【図１０】
2013531493.tif 000012
【図１１】
2013531493.tif 000013
【図１２】
2013531493.tif 000014
【図１３】
2013531493.tif 000015
【図１４】
2013531493.tif 000016
【図１５】
2013531493.tif 000017
【図１６】
2013531493.tif 000018
【図１７】
2013531493.tif 000019
【図１８】
2013531493.tif 000020
【国際調査報告】
2013531493.tif 000021
2013531493.tif 000022
2013531493.tif 000023
2013531493.tif 000024